(57)【要約】【課題】扇風機の首振り時の電線部の更なる耐久性を向上を目的とする。【解決手段】基台２と、この基台２から伸びた支柱部３と、この支柱部３に設けられた左右首振り手段と、この左右首振り手段の上方に備えた送風手段と、この送風手段の背面側に設けた上下首振り手段とからなり、この上下首振り手段は、送風手段を上下方向に回動し、前記左右首振り手段は、前記上下首振り手段と前記送風手段とを左右方向に回動し、前記左右首振り手段から前記送風手段に伸びた電線部５７を備え、この電線部５７の一部を輪形状とすると共に所定の空間内を移動可能に保持する電線保持手段６０を備えたものであり、電線部の更なる耐久性を向上させることが出来るものである。【選択図】図１１
2014181602.tif 000002
【特許請求の範囲】
【請求項１】
基台と、この基台から伸びた支柱部と、この支柱部に設けられた左右首振り手段と、この左右首振り手段の上方に備えた送風手段と、この送風手段の背面側に設けた上下首振り手段とからなり、この上下首振り手段は、送風手段を上下方向に回動し、前記左右首振り手段は、前記上下首振り手段と前記送風手段とを左右方向に回動し、前記左右首振り手段から前記送風手段に伸びた電線部を備え、この電線部の一部を輪形状とすると共に所定の空間内を移動可能に保持する電線保持手段を備えたことを特徴とする扇風機。
【請求項２】
前記電線保持手段は、前記送風手段から水平方向へ伸びた円筒形状の円筒部と、前記送風手段から伸びる支持部と、この支持部の先端に設けた前記円筒部の軸方向に対して垂直断面形状がＣ形状である抜け止め部とからなり、この抜け止め部は、前記円筒部の先端を所定の距離を有して囲むように設けられ、前記電線部を、前記送風手段と抜け止め部との間で、前記円筒部の直径より大きな径で前記円筒部を巻くように設けたことを特徴とする請求項１に記載の扇風機。
【請求項３】
前記電線部は、複数の電線部分と、これら電線部分を囲む円筒形状で弾力性を有する保護チューブ部分とからなり、この保護チューブ部分の直径は、前記円筒部と前記抜け止め部との距離より大きいことを特徴とする請求項２に記載の扇風機。
【請求項４】
前記送風手段は、モータ部と、このモータ部によって回転する羽根部と、前記モータ部を上下方向に回動自在に支持したモータホルダーと、前記モータ部に固定されたモータカバーとからなり、前記モータ部は、モータと、このモータに固定されると共に前記モータホルダーと上下方向に回動自在に装着されたモータフロントプレートと、このモータフロントプレートに固定され制御部を備えたモータカバーインナーとからなり、前記左右首振り手段は、前記モータフロントプレートに固定されたステッピングモータと、このステッピングモータによって回転するクランクと、このクランクに装着したリンクと、前記ステッピングモータから前記制御部に伸びた前記電線部を備え、前記電線保持手段である円筒部と支持部は、モータカバーインナーから伸び、モータカバーインナーの材質は、樹脂であることを特徴とする請求項３に記載の扇風機。
【発明の詳細な説明】
【技術分野】
【０００１】
本発明は、首振り機能を有する扇風機に関するものである。
【背景技術】
【０００２】
従来、この種の扇風機は、基台と、この基台から伸びた支柱部と、この支柱部に設けられた左右首振り手段と、この左右首振り手段の上方に備えた送風手段と、この送風手段の背面側に設けた上下首振り手段とからなり、この上下首振り手段は、送風手段を上下方向に回動し、前記左右首振り手段は、前記上下首振り手段と前記送風手段とを左右方向に回動し、前記左右首振り手段から前記送風手段に伸びた直線状の電線部を備えた構成となっていた。（例えば、特許文献１参照）。
【先行技術文献】
【特許文献】
【０００３】
【特許文献１】特開平０３−１９４１９９号公報
【発明の概要】
【発明が解決しようとする課題】
【０００４】
上記従来例における課題は、電線部の更に耐久性を向上させることであった。
【０００５】
すなわち、従来の物においては、左右首振り手段から送風手段に伸びた直線状の電線部を弛ませて、送風手段の上下方向回動時に、電線部が曲がったり伸びたり、つまり、電線部の一部が移動することにより、送風手段の上下方向の距離の変化に対応していた。
【０００６】
その結果として、電線部を弛ませる長さが短いと、送風手段の上下方向回動に伴なう電線部の移動距離が長くなり、屈曲や磨耗による電線部の耐久性の低下するものであった。
【０００７】
そこで本発明は、電線部の更なる耐久性の向上を図ることを目的とするものである。
【課題を解決するための手段】
【０００８】
そして、この目的を達成するために、本発明は、基台と、この基台から伸びた支柱部と、この支柱部に設けられた左右首振り手段と、この左右首振り手段の上方に備えた送風手段と、この送風手段の背面側に設けた上下首振り手段とからなり、この上下首振り手段は、送風手段を上下方向に回動し、前記左右首振り手段は、前記上下首振り手段と前記送風手段とを左右方向に回動し、前記左右首振り手段から前記送風手段に伸びた電線部を備え、この電線部の一部を輪形状とすると共に所定の空間内を移動可能に保持する電線保持手段を備えたことを特徴としたものであり、これにより、所期の目的を達成するものである。
【発明の効果】
【０００９】
本発明によれば、基台と、この基台から伸びた支柱部と、この支柱部に設けられた左右首振り手段と、この左右首振り手段の上方に備えた送風手段と、この送風手段の背面側に設けた上下首振り手段とからなり、この上下首振り手段は、送風手段を上下方向に回動し、前記左右首振り手段は、前記上下首振り手段と前記送風手段とを左右方向に回動し、前記左右首振り手段から前記送風手段に伸びた電線部を備え、この電線部の一部を輪形状とすると共に所定の空間内を移動可能に保持する電線保持手段を備えたものであり、電線部の更なる耐久性を向上させることが出来るものである。
【００１０】
すなわち、電線部の一部を輪形状とすると共に所定の空間内を移動可能に保持する電線保持手段を備えたので、電線部を直線状で弛ませるものに比べ、電線部の長さが長くなり、送風手段の上下方向回動に伴なう電線部の移動距離が短くなり、屈曲や磨耗による電線部の耐久性の低下を抑制できるものである。
【図面の簡単な説明】
【００１１】
【図１】本発明の実施の形態１の扇風機の全体を示す図
【図２】同扇風機の支柱部の断面図
【図３】同扇風機の送風手段の断面図
【図４】同扇風機のモータ部、左右首振り手段、上下首振り手段等を示す斜視図
【図５】同扇風機のモータホルダーを示す斜視図
【図６】同扇風機のモータフロントプレートを示す斜視図
【図７】同扇風機のモータカバーとモータカバーロウ等を示す側面図
【図８】同扇風機のモータカバーを示す斜視図
【図９】同扇風機のモータカバーとモータカバーを下方から見た斜視図
【図１０】同扇風機のモータカバーとモータカバーロウを下から見た図
【図１１】同扇風機のモータカバー内と、同円弧形状の内側の信号線の収納を示す斜視図
【発明を実施するための形態】
【００１２】
以下、本発明の実施の形態について図面を参照しながら説明する。
【００１３】
（実施の形態１）
図１乃至図７に示すように、扇風機１は、基台２と、この基台２から伸びた支柱部３と、この支柱部３に設けられた送風手段と、左右首振り手段と、上下首振り手段とからなる。送風手段は、左右首振り手段の上方に位置し、上下首振り手段は、送風手段の背面側にしている。上下首振り手段は、送風手段を上下方向に回動し、左右首振り手段は、上下首振り手段と送風手段とを左右方向に回動する。
【００１４】
基台２は、円板形状で、上面には中心を通る直径方向に、縦長四角形状の窪み部（図示せず）を備えている。この窪み部には、円形の開口である孔部（図示せず）を備えている。窪み部に、支柱部３の下部が装着可能である。
【００１５】
支柱部３は、中空の下支柱部４と中空の上支柱部５とからなる。上支柱部５が下支柱部４内に上から挿入され、上下移動機構１３（たとえばリーフスプリングなど）によって、上下方向へ移動自在に装着されている。この上下動によって、送風手段が上下することにより、送風方向が上下動できる。
【００１６】
下支柱部４は、窪み部に嵌る第一下支柱部６と、この第一下支柱部６の上部から上方へ伸びた第二下支柱部７とからなる。
【００１７】
第一下支柱部６は、蓋つき箱形状で、板形状の下支柱上蓋部８と、上方に開口した椀形状の下支柱下蓋部９とからなる。下支柱上蓋部８と下支柱下蓋部９とは、ねじにより固定できる。
【００１８】
下支柱上蓋部８の上面から第二下支柱部７が一体で形成され伸びている。第二下支柱部７は、上下方向が軸方向である四角筒形状で、この第二下支柱部７内と第一下支柱部６内とは連通している。
【００１９】
下支柱下蓋部９の下面には、下方へ突出した円柱形状の円柱部１０を備えている。この円柱部１０の周面にはネジが切られ、この部分が雄ねじとなる。
【００２０】
基台２の窪み部へ、第一下支柱部６を嵌め込むと、下支柱下蓋部９のねじ切りされた円柱部１０が基台２の孔部に挿入される。円柱部１０にナット１２で固定すると、このナット１２と第一下支柱部６とが基台２の窪み部を挟み込み固定される。
【００２１】
上支柱部５は、上下方向が軸方向である四角筒形状で、上端には上方へ開口した椀形状の固定カバー１４を装着している。この固定カバー１４内には、軸方向が上下方向である円筒形状のネックピース１５を備えている。このネックピース１５には、後述する軸方向が上下方向である円柱形状の枢軸１６が回動自在に装着される。ネックピース１５には、ネックピース１５から径方向に伸びたリンク装着部１７を備えている。
【００２２】
送風手段は、羽根部１８と、モータ部２２と、モータホルダー２３と、モータカバー２４とからなる。
【００２３】
羽根部１８は、軸流タイプの羽根１９と、この羽根１９の前面側を覆う羽根カバーであるフロントガード２０と、羽根１９の後側を覆うリアガード２１とからなる。フロントガード２０とリアガード２１とは嵌め込み式で連結する。羽根１９は、モータ部２２によって回転する。
【００２４】
モータ部２２は、モータホルダー２３に装着されている。
【００２５】
モータ部２２は、モータ２５と、モータカバーインナー２６と、モータフロントプレート２７とからなる。
【００２６】
モータ２５は、駆動軸２８を有し、この駆動軸２８は、扇風機１の前面側であるモータ２５の前面から、扇風機１の前面側へ水平に伸び、この先端に羽根１９が固定されている。
【００２７】
モータフロントプレート２７は、中央にはモータ２５の駆動軸２８を挿入できる開口２９を備え、左右両端から後方へ伸びた回転支持部３０を備えている。モータフロントプレート２７は、モータカバーインナー２６の扇風機１の前面側に、ねじにより固定される。
【００２８】
モータホルダー２３は、プレート３１と、枢軸１６と、Ｕ字体３２と、固定部３３とからなる。
【００２９】
プレート３１は、扇風機１における前後方向へ長い四角形状の金属の平板である。プレート３１の扇風機１における前側で下面には、下面から下方へ伸びた枢軸１６を有する。このプレート３１は、扇風機１における前側でプレート３１の長手辺の両端面から上方へ伸びた２枚のＵ字体３２と、扇風機１における後側でプレート３１の長手辺の一方側端面から上方へ伸びた固定部３３とを備えている。
【００３０】
モータホルダー２３は、Ｕ字体３２の先端の孔と、モータフロントプレート２７の回転支持部３０に設けた孔とを、軸支３４、軸支３５により回転可能に連結している。
【００３１】
モータカバー２４は、横筒状で、下方と一側面が開口し、２分割された半割のモータカバーフロント３６とモータカバーリア３７をモータ部２２にネジ等で連結固定される。
【００３２】
左右首振り手段は、ステッピングモータ３８と、クランク３９と、リンク４０とを備えている。ステッピングモータ３８は、プレート３１に固定されている。ステッピングモータ３８の回転軸は、ステッピングモータ３８から下方へ伸び、この回転軸にクランク３９が装着されている。このクランク３９には、リンク４０の一端側が回動自在に装着され、リンク４０の他端側は、固定カバー１４のリンク装着部１７に回動自在に装着される。
【００３３】
上下首振り手段は、ステッピングモータ４１と、クランク４２と、リンク４３とを備えている。ステッピングモータ４１は、モータカバーインナー２６に固定され、ステッピングモータ４１の回転軸は、ステッピングモータ４１から扇風機１における一方側の側方に伸び、この回転軸にクランク４２が装着されている。このクランク４２には、リンク４３の一端側が回動自在にネジなどで固定する。リンク４３の他端側は、モータホルダー２３の固定部３３に回動自在に装着される。
【００３４】
モータカバー２４はモータ部２２と、上下首振り手段とを内包し、下方の開口４４と一側面４５の開口４６がつながって連続して開口している。
【００３５】
モータカバーロウ４７は、上端と下端が開口し、２分割された半割の前モータカバーロウ４８と後モータカバーロウ４９をモータホルダー２３にネジ等で連結固定され、左右首振り手段とネックピース１５とを内包する。
【００３６】
モータ部２２と、羽根１９と、送風方向の左右方向の首振りを行う左右首振り手段と、送風方向の上下方向の首振りを行う上下首振り手段は、支柱部３の上端で支持されている。
【００３７】
モータカバーロウ４７の開口された上端５０がモータカバー２４の下方の開口４４内に入り、モータカバーロウ４７の上方とモータカバー２４の下方がオーバーラップし、モータカバー２４の上下方向の回動時にモータカバーロウ４７の外面５２とモータカバー２４の下方の開口４４の下端５３の内面５４間が所定の距離を持つ隙間Ｌ１を有して、モータカバー２４が回動する。
【００３８】
隙間Ｌ１として、指等の異物が入らない、または入りにくい程度の隙間、間隔、例えば１〜３ｍｍ程度で設けられている。
【００３９】
モータカバー２４は、横筒状で、下方の開口４４と一側面４５の開口４６がつながって連続して開口している。開口４６は、正面から見るとモータ２５より外方の円周上に複数設けられている。これにより、羽根１９が回転すると、隙間Ｌ１からモータカバー２４内へ一部の空気が吸い込まれ、一側面４５の開口４６を介して、羽根１９へ流れ込む気流が発生する。この気流によって、モータカバー２４内のモータ２５の温度上昇を低減できる。更に、この気流は、モータカバーロウ４７の外面に沿って、モータカバー２４内に入るので、モータカバー２４内面に沿うような流れとなり、モータ部２２を覆うように流れるので、モータ２５の温度上昇を効率よく低減できる。
【００４０】
モータカバーロウ４７およびモータカバー２４の羽根１９の反対側は、円弧形状５６で、この円弧形状５６の中心は上下首振り手段による送風方向の上下方向に往復回動させる回動中心である軸支３４、軸支３５と同心上に位置している。
【００４１】
前記構成において、ステッピングモータ３８によって、クランク３９が回転すると、枢軸１６と、リンク４０の長さと、クランク３９のネジ等で固定されたピッチの関係により一義的に定まる一定の角度範囲において、リンク４０によって、固定カバー１４内で、モータホルダー２３の枢軸１６を回転中心として、モータホルダー２３が回動し、送風手段と、上下首振り手段とを水平方向、すなわち左右方向に往復回動させる。なお、左右首振り手段によって、上支柱部５は上下動するが、首振り回動せず固定されており、左右首振り、すなわち水平首振り、上下首振り、すなわち垂直首振りの往復回動はしない。
【００４２】
ステッピングモータ４１によって、クランク４２が回転すると、固定部３３とリンク４３の長さと、クランク４２のネジ等で固定されたピッチの関係により一義的に定まる一定の角度範囲において、モータホルダー２３は、Ｕ字体３２の先端の孔と、モータフロントプレート２７の回転支持部３０に設けた孔とを回転可能に連結している軸支３４と、軸支３５とを回転中心として、モータホルダー２３が回動し、送風手段である、羽根部１８と、モータ部２２と、モータホルダー２３と、モータカバー２４とを垂直方向、すなわち上下方向に回動させる。
【００４３】
また、円弧形状５６の内側に左右首振り手段、上下首振り手段、送風する羽根１９による風量制御等の扇風機１の制御用の電線部５７を収納することで、空間の有効利用が図られ、コンパクト化が図られることとなる。
【００４４】
扇風機１における基本的な構成は、以上の通りである。本実施形態おける特徴は、左右首振り手段から送風手段に伸びた電線部５７を備え、この電線部５７の一部を輪形状とすると共に所定の空間内を移動可能に保持する電線保持手段６０を備えた点である。
【００４５】
すなわち、電線部５７の一部を輪形状とすると共に所定の空間内を移動可能に保持する電線保持手段６０を備えたので、電線部５７を直線状で弛ませるものに比べ、電線部５７の長さが長くなり、送風手段の上下方向回動に伴なう電線部５７の移動距離が短くなり、屈曲や磨耗による電線部５７の耐久性の低下を抑制できるものである。
【００４６】
具体的には、電線保持手段６０は、円弧形状５６の上方に位置し、円筒部６１と、支持部６２と、この支持部の先端に設けた抜け止め部６３とからなる。
【００４７】
円筒部６１は、円筒形状で、送風手段から、扇風機１における一方側面方向、つまり右側面方向で、水平方向へ伸びたものである。
【００４８】
支持部６２は、平板形状で、送風手段から、扇風機１における背面方向で、水平方向へ伸びたものである。この支持部６２の先端には、抜け止め部６３を備えている。
【００４９】
抜け止め部６３は、円筒部６１の軸方向に対して垂直断面形状がＣ形状である。抜け止め部６３は、円筒部６１の先端を所定の距離を有して囲むように設けられている。
【００５０】
ここで、電線部５７を、送風手段と抜け止め部６３との間で、円筒部６１の直径より大きな径で円筒部６１を巻くように設けたものである。
【００５１】
電線部５７は、複数の電線部分（図示せず）と、これら電線部分を囲む円筒形状で弾力性を有する保護チューブ部分６５とからなる。この保護チューブ部分６５の直径は、円筒部６１と抜け止め部６３との距離より大きいものである。
【００５２】
電線保持手段６０への電線部５７の装着方法について説明する。電線部５７を指に巻き、輪形状を作り、この電線部５７の輪を、抜け止め部６３と円筒部６１との間から、円筒部６１の根元方向へ挿入する。これにより、保護チューブ部分６５が弾力性を有するので、送風手段と抜け止め部６３との間で、円筒部６１の直径より大きな径で円筒部６１を巻くように電線部５７を装着できる。
【００５３】
すなわち、保護チューブ部分６５の直径は、円筒部６１と抜け止め部６３との距離より大きく、保護チューブ部分６５が弾力性を有するので、電線部５７が、抜け止め部６３と円筒部６１との間から挿入でき、電線部５７が、抜け止め部６３と円筒部６１との間から抜けることを抑制できる。
【００５４】
更に詳細に説明すると、送風手段は、モータ部２２と、このモータ部２２によって回転する羽根部１８と、モータ部２２を上下方向に回動自在に支持したモータホルダー２３と、モータ部２２に固定されたモータカバー２４とからなる。
【００５５】
モータ部２２は、モータ２５と、このモータ２５に固定されると共にモータホルダー２３と上下方向に回動自在に装着されたモータフロントプレート２７と、このモータフロントプレート２７に固定され制御部６６を備えたモータカバーインナー２６とからなる。
【００５６】
左右首振り手段は、モータフロントプレート２７に固定されたステッピングモータ３８と、このステッピングモータ３８によって回転するクランク３９と、このクランク３９に装着したリンク４０と、ステッピングモータ３８から制御部６６に伸びた電線部５７を備えている。電線保持手段６０である円筒部６１と支持部６２は、モータカバーインナー２６から伸び、モータカバーインナー２６の材質は、樹脂である。すなわち、電線保持手段６０である円筒部６１と、支持部６２と、抜け止め部６３とモータカバーインナー２６とは樹脂で一体で形成している。
【００５７】
すなわち、電線部５７が電線保持手段６０に接触しても、電線保持手段６０の材質は樹脂なので、磨耗を低減できる。
【産業上の利用可能性】
【００５８】
本発明にかかる扇風機は、基台と、この基台から伸びた支柱部と、この支柱部に設けられた左右首振り手段と、この左右首振り手段の上方に備えた送風手段と、この送風手段の背面側に設けた上下首振り手段とからなり、この上下首振り手段は、送風手段を上下方向に回動し、前記左右首振り手段は、前記上下首振り手段と前記送風手段とを左右方向に回動し、前記左右首振り手段から前記送風手段に伸びた電線部を備え、この電線部の一部を輪形状とすると共に所定の空間内を移動可能に保持する電線保持手段を備えたものであり、電線部の更なる耐久性を向上させることが出来るものである。
【００５９】
すなわち、電線部の一部を輪形状とすると共に所定の空間内を移動可能に保持する電線保持手段を備えたので、電線部を直線状で弛ませるものに比べ、電線部の長さが長くなり、送風手段の上下方向回動に伴なう電線部の移動距離が短くなり、屈曲や磨耗による電線部の耐久性の低下を抑制できるものである。
【００６０】
扇風機等に使用される上下首振り手段として有用である。
【符号の説明】
【００６１】
１  扇風機
２  基台
３  支柱部
４  下支柱部
５  上支柱部
６  第一下支柱部
７  第二下支柱部
８  下支柱上蓋部
９  下支柱下蓋部
１０  円柱部
１２  ナット
１３  上下移動機構
１４  固定カバー
１５  ネックピース
１６  枢軸
１７  リンク装着部
１８  羽根部
１９  羽根
２０  フロントガード
２１  リアガード
２２  モータ部
２３  モータホルダー
２４  モータカバー
２５  モータ
２６  モータカバーインナー
２７  モータフロントプレート
２８  駆動軸
２９  開口
３０  回転支持部
３１  プレート
３２  Ｕ字体
３３  固定部
３４  軸支
３５  軸支
３６  モータカバーフロント
３７  モータカバーリア
３８  ステッピングモータ
３９  クランク
４０  リンク
４１  ステッピングモータ
４２  クランク
４３  リンク
４４  開口
４５  一側面
４６  開口
４７  モータカバーロウ
４８  前モータカバーロウ
４９  後モータカバーロウ
５０  上端
５２  外面
５３  下端
５４  内面
５６  円弧形状
５７  電線部
６０  電線保持手段
６１  円筒部
６２  支持部
６３  抜け止め部
６５  保護チューブ部分
６６  制御部
Ｌ１  隙間
【図１】
2014181602.tif 000003
【図２】
2014181602.tif 000004
【図３】
2014181602.tif 000005
【図４】
2014181602.tif 000006
【図５】
2014181602.tif 000007
【図６】
2014181602.tif 000008
【図７】
2014181602.tif 000009
【図８】
2014181602.tif 000010
【図９】
2014181602.tif 000011
【図１０】
2014181602.tif 000012
【図１１】
2014181602.tif 000013